(57)【要約】【課題】測定用車輌を所定の走行区間で１回走行移動させるこによって、その走行区間内で受信される複数の周波数の電波の電波強度を逐次測定して記憶することができ、且つ、その設備コストを大幅に低減させることができる電波強度測定システムを提供すること。【解決手段】走行地点メモリ４３ｆの値を測定データファイルに書き込み（Ｓ８１）、分析器３のマーカリストメモリ３３ｃに記憶されている全データの一括送信を要求するコマンドを、分析器３に対して送信し（Ｓ８３）、分析器３からのデータ受信が完了すると（Ｓ８４：Ｙｅｓ）、受信データに含まれるスペクトル値を全て電界強度値に補正した後に（Ｓ８６〜Ｓ９１）、測定データファイルに書き込む（Ｓ９２）。【選択図】　　　　図１５
0003097678.tif 000002
【実用新案登録請求の範囲】
【請求項１】
歩行速度を超える走行速度で移動する測定用車輌に搭載され、その測定用車輌の走行区間で受信される電波の電界強度を逐次測定する電波強度測定システムにおいて、
測定用車輌に装備されその車輌の車輪が所定の角度回転する毎にパルス信号を出力するパルス発生器と、
そのパルス発生器から出力されるパルス信号の計数値に基づいて測定用車輌の走行地点の距離値を演算する演算手段と、
その測定用車輌に搭載され、電波を受信することにより被測定信号を出力する受信アンテナと、
その受信アンテナより出力される被測定信号の中から測定対象となる複数の周波数成分について反復継続的にスペクトル値を測定し、その測定された各周波数成分毎のスペクトル値を逐次更新して記憶するスペクトル分析器と、
そのスペクトル分析器に記憶される複数の周波数成分のスペクトル値を全て読み出す読出手段と、
その読出手段により読み出された全てのスペクトル値を電波の電界強度値に補正する補正手段と、
その補正手段により補正された全ての電界強度値を、前記演算手段の演算値にに対応つけて、前記スペクトル分析器より大容量の測定データ記憶領域へ書き込む書込手段と、
前記読出手段、補正手段および書込手段を、前記演算手段による演算値が所定分増加する毎に実行する反復実行手段とを備えていることを特徴とする電波強度測定システム。
【請求項２】
測定用車輌の走行区間より短い距離を記憶する書き換え可能な単位区間記憶領域を備え、
前記反復実行手段は、前記演算手段による演算値が前記単位区間記憶領域に記憶される値分増加する毎に、前記読出手段、補正手段および書込手段を実行するものであることを特徴とする請求項１記載の電波強度測定システム。
【請求項３】
道路の起点から任意のプリセット地点までの距離値を設定するプリセット地点設定手段とを備え、
前記演算手段は、そのプリセット地点設定手段により設定された距離値に、前記パルス発生器のパルス信号の計数値に基づいて算出される測定用車輌の移動距離を加算して測定用車輌の走行地点の距離値を演算するものであることを特徴とする請求項１又は２に記載の電波強度測定システム。
【請求項４】
前記スペクトル分析器に指定される複数の周波数の値を変更する周波数変更手段を備えていることを特徴とする請求項１から３のいずれかに記載の電波強度測定システム。
【請求項５】
前記スペクトル分析器に指定される複数の周波数値における最小値から最大値までの範囲を少なくとも包含する周波数帯を、掃引周波数幅として前記スペクトル分析器に設定する掃引設定手段を備えていることを特徴とする請求項１から４のいずれかに記載の電波強度測定システム。
【考案の詳細な説明】
【０００１】
【考案の属する技術分野】本考案は、歩行速度を超える走行速度で移動する測定用車輌に搭載され、その測定用車輌の走行区間で受信される電波の電波強度を逐次測定する電波強度測定装置に関するものである。
【０００２】
【従来の技術】高速自動車道路のトンネル構内には、トンネル外の空間を伝搬する電波のうち、中波帯電波を搬送波とする振幅変調方式（ＡＭ）波を用いたラジオ放送用電波（以下、「ＡＭラジオ放送波」という。）を再放送するための設備が設けられている。このようなトンネル構内ラジオ再放送設備が設置されるトンネルは、例えば、北陸自動車道の上越区間だけでも上下線を合わせて５２箇所存在し、その各トンネル構内では常時３〜５局分のＡＭラジオ放送波が実際に再放送されている。
【０００３】
このようなトンネル構内ラジオ再放送設備は、アンテナ素子となる誘導線をトンネル構内に架設し、その誘導線からＡＭラジオ放送波をトンネル構内の空間へ放射している。一方、高速自動車道路の管理者は、トンネル構内ラジオ再放送設備の機能維持のために各種の保守点検を多岐にわたって実施しているが、その点検項目の一つとしてＡＭラジオ放送波の電界強度の測定試験を行っている。この電界強度測定試験は、トンネル構内で放送される全局分のＡＭラジオ放送波についてトンネル入口から出口までの区間を数メートル移動する毎に電界強度を測定するものである。
【０００４】
ところで、このような電界強度の試験方法としては、例えば、特開平８−２７８３３８号公報に従来技術として記載された電界強度測定方法を利用することが考えられる。この電界強度測定方法によれば、移動測定車に電界強度計、距離センサ及び制御装置を搭載して、その移動測定車を高速自動車道路で走行させる。この走行の際、トンネル内のＡＭラジオ放送波はアンテナにより受信され、その受信したＡＭラジオ放送波の電界強度が電界強度計により測定される。
【０００５】
一方、走行中の移動測定車では、その車輪に接続された車軸の回転が距離センサによって検出されており、移動測定車が所定距離だけ移動する毎に距離パルスが出力される。この距離パルスが出力されると、制御装置によって、電界強度計から電界強度の測定結果がサンプリングされ、電界強度のサンプルデータ列が生成される。
【０００６】
【考案が解決しようとする課題】しかしながら、上記した電界強度測定測定方法によれば、電界強度計により測定可能なＡＭラジオ放送波は１つの周波数帯にのみ限定されるため、例えば、片側１車線のトンネル構内で５局のＡＭラジオ放送波が放送されている場合には、５局分のＡＭラジオ放送波の電界強度を測定するために移動測定車を５回走行させる必要がある。このため、上記した北陸自動車道の上越区間内の全トンネルを１台の移動測定車で全て試験する場合には、５日間の期間を要し、作業が極めて煩雑であるという問題点があった。
【０００７】
また、１台の電界強度計で同時測定できる電波は１つの周波数帯に限定される。かかる場合には、測定用車輌を数ｍ移動する毎に停車させて、その停車地点で電界強度計の測定周波数を複数局の各ＡＭラジオ放送波の周波数帯に順次切り替えてトンネル構内の電界強度を測定する必要がある。しかしながら、かかる場合には、測定用車輌が測定時に高速自動車道路で交通規制をする必要があり、それに伴って交通渋滞が誘発される虞があった。
【０００８】
そこで、複数局のＡＭラジオ放送波を同時に移動測定すべく複数台の電界強度計を利用することも考えられるが、電界強度計が高価なため、かかる場合にはシステム全体の価格が数百万円から一千万円程度必要となり、設備コストが高額化してしまうという問題点がある。
【０００９】
また、複数の周波数成分を含む電波特性を測定する機器として、いわゆるスペクトラムアナライザなどのスペクトル分析器があるが、スペクトル分析器は、複数の周波数成分を含んだ電波を電圧信号に変化した被測定信号の周波数スペクトルを測定するものであり、当然のことながら、その測定スペクトル値は、実際の電波の電界強度値を示すものではない。即ち、複数の周波数成分を含む電波を測定可能なスペクトル分析器であっても、複数局のＡＭラジオ放送波の電界強度を同時測定することはできないという問題点があった。
【００１０】
更に、スペクトル分析器は、被測定信号の中から測定対象となる複数の周波数成分についてスペクトル値を反復継続的に測定し、その測定された各周波数成分毎のスペクトル値を逐次更新してＲＡＭなどの小容量のメモリに記憶して、その小容量メモリに記憶される各周波数成分のスペクトル値をディスプレイに単に表示するものである。よって、このように大容量メモリを有しないスペクトル分析器では、時々刻々と変化する被測定信号の周波数スペクトル値を逐次記憶保持することもできないという問題点があった。
【００１１】
本考案は、上述した問題点を解決するためになされたものであり、測定用車輌を所定の走行区間で１回走行移動させるこによって、その走行区間内で受信される複数の周波数の電波の電波強度を逐次測定して記憶することができ、且つ、その設備コストを大幅に低減させることができる電波強度測定システムを提供することを目的としている。
【００１２】
【課題を解決するための手段】この目的を達成するために請求項１記載の電波強度測定システムは、歩行速度を超える走行速度で移動する測定用車輌に搭載され、その測定用車輌の走行区間で受信される電波の電界強度を逐次測定するものであり、測定用車輌に装備されその車輌の車輪が所定の角度回転する毎にパルス信号を出力するパルス発生器と、そのパルス発生器から出力されるパルス信号の計数値に基づいて測定用車輌の走行地点の距離値を演算する演算手段と、その測定用車輌に搭載され、電波を受信することにより被測定信号を出力する受信アンテナと、その受信アンテナより出力される被測定信号の中から測定対象となる複数の周波数成分について反復継続的にスペクトル値を測定し、その測定された各周波数成分毎のスペクトル値を逐次更新して記憶するスペクトル分析器と、そのスペクトル分析器に記憶される複数の周波数成分のスペクトル値を全て読み出す読出手段と、その読出手段により読み出された全てのスペクトル値を電波の電界強度値に補正する補正手段と、その補正手段により補正された全ての電界強度値を前記読出手段の実行時における前記演算手段の演算値に対応つけて、前記スペクトル分析器より大容量の測定データ記憶領域へ書き込む書込手段と、前記読出手段、補正手段および書込手段を、前記演算手段による演算値が所定分増加する毎に実行する反復実行手段とを備えている。
【００１３】
この請求項１記載の電波強度測定システムによれば、測定用車輌が走行移動して車輪が回転すると、その車輪が所定角度回転する毎にパルス発生器からパルス信号が出力される。測定用車輌の走行地点の距離値は、演算手段によって、そのパルス信号の計数値に基づいて演算される。また、空中を伝播する電波（外来電波）は、測定用車輌に搭載された受信アンテナによって受信され、その電波の電界強度に応じた出力レベルの被測定信号に変換されて受信アンテナからスペクトル分析器へ出力される。スペクトル分析器には、受信電波が含む周波数成分のうち、測定対象となる複数の周波数成分が予め指定される。
【００１４】
このスペクトル分析器に被測定信号が入力されると、その被測定信号に含まれる各周波数成分のうち、スペクトル分析器に指定された複数の周波数成分のスペクトル値が測定され、その各周波数成分毎のスペクトル値がスペクトル分析器の記憶領域にそれぞれ記憶される。この複数の周波数成分のスペクトル値測定は、例えば、一定の周期で反復継続され、これを受けて、スペクトル分析器の記憶領域の値も各周波数成分毎に最新に測定されたスペクトル値に逐次更新される。
【００１５】
ここで、測定用車輌が走行移動して演算手段による演算値（測定用車輌の走行地点の距離値）が所定分（例えば、数ｍ）増加すると、読出手段によって、スペクトル分析器の記憶領域に記憶された全てのスペクトル値が読み出され、読み出された全てのスペクトル値は、補正手段によって、電波の電界強度値に補正される。結果、スペクトル分析器に予め指定しておいた複数の周波数毎の電波の電界強度値が得られる。
【００１６】
このように得られた各周波数毎の電波の電界強度値は一連のデータ群として扱われ、スペクトル分析器の記憶領域からスペクトル値を読み出した際における演算手段の演算値（測定用車輌の走行地点の距離値）と対応つけて測定データ記憶領域へ書き込まれる。これによって、測定用車輌の走行地点を示す距離値と、その走行地点で受信アンテナにより受信された各周波数の電波の電界強度値とが対応つけられつつ測定データ記憶領域に記憶される。以上に説明した読出手段、補正手段および書込手段は、演算手段による演算値（測定用車輌の走行地点の距離値）が所定分増加する毎に実行される。
【００１７】
請求項２記載の電波強度測定システムは、請求項１記載の電波強度測定システムにおいて、測定用車輌の走行区間より短い距離を記憶する書き換え可能な単位区間記憶領域を備え、前記反復実行手段は、前記演算手段による演算値が前記単位区間記憶領域に記憶される値分増加する毎に、前記読出手段、補正手段および書込手段を実行するものである。
【００１８】
この請求項２記載の電波強度測定システムによれば、測定用車輌が走行移動することによって演算手段による演算値（測定用車輌の走行地点の距離値）が、読出手段を前回実行した時点から単位区間記憶領域に記憶される値分増加すると、反復実行手段によって、読出手段、補正手段および書込手段が再び実行される。例えば、単位区間記憶領域に数メートル相当の値を記憶しておけば、測定用車輌が数メートル移動する毎に電波の電界強度値が測定記録がなされるのである。
【００１９】
請求項３記載の電波強度測定システムは、請求項１又は２に記載の電波強度測定システムにおいて、道路の起点から任意のプリセット地点までの距離値を設定するプリセット地点設定手段とを備え、前記演算手段は、そのプリセット地点設定手段により設定された距離値に、前記パルス発生器のパルス信号の計数値に基づいて算出される測定用車輌の移動距離を加算して測定用車輌の走行地点の距離値を演算するものである。
【００２０】
この請求項３記載の電波強度測定システムによれば、例えば、道路の起点とは異なる地点を測定開始地点とする場合には、測定用車輌が道路の起点から離れた任意のプリセット地点に停車されて、道路の起点からそのプリセット地点までの距離値がプリセット地点設定手段によって設定される。この設定後、測定用車輌が走行を開始すると、演算手段によって、プリセット地点設定手段により設定された距離値に、前記パルス発生器のパルス信号の計数値に基づいて算出される測定用車輌の移動距離が加算され、測定用車輌の走行地点の距離値が演算される。
【００２１】
請求項４記載の電波強度測定システムは、請求項１から３のいずれかに記載の電波強度測定システムにおいて、前記スペクトル分析器に指定される複数の周波数の値を変更する周波数変更手段を備えている。
【００２２】
この請求項４記載の電界強度測定システムによれば、スペクトル分析器に予め指定される複数の周波数は、周波数変更手段によって変更されるので、測定用車輌の走行区間で受信される電波の周波数が異なる場合、例えば、測定対象となるラジオ電波の周波数がトンネルによって異なる場合には、そのトンネル毎に測定対象となるラジオ電波の周波数を設定変更することができるのである。
【００２３】
請求項５記載の電波強度測定システムは、請求項１から４のいずれかに記載の電波強度測定システムにおいて、前記スペクトル分析器に指定される複数の周波数値における最小値から最大値までの範囲を少なくとも包含する周波数帯を、掃引周波数幅として前記スペクトル分析器に設定する掃引設定手段を備えている。
【００２４】
この請求項５記載の電波強度測定システムによれば、スペクトル分析器には、掃引設定手段によって、スペクトル分析器に指定される複数の周波数値における最小値から最大値までの範囲を少なくとも包含する周波数帯が掃引周波数幅として設定される。このようにして掃引周波数幅を設定することによって、スペクトル分析器は必要最小限の周波数範囲でのみ周波数掃引をできるので、スペクトル分析器における周波数掃引時間を必要最小限に抑制することができ、測定結果の分解能を高めることができる。
【００２５】
【考案の実施の形態】以下、本考案の好ましい実施例について、添付図面を参照して説明する。図１は、本考案の電波強度測定システムの一実施例であるラジオ電波電界強度測定システム（以下「測定システム」という。）１のシステム概念図である。図１に示すように、測定システム１は、測定用車輌として利用される自動車などの測定車２に搭載して用いられるものであり、主に、スペクトラムアナライザ（以下「分析器」という。）３と、その分析器３と電気接続されノート型パーソナルコンピュータ等で構成される制御装置４とを備えている。
【００２６】
測定車２は、通常、車輪５の車軸６が所定角度、例えば、７２°回転する毎にパルス状の電気信号を出力するパルス発生器７を装備しており、このパルス発生器７から出力されるパルス信号は、通常、エンジンを制御する電子制御ユニットにおいて車速の演算処理などに用いられている。パルス発生器７にはパルス変換器８の入力側が電気接続されており、このパルス変換器８は、パルス信号の電圧レベルを降圧させるものである。
【００２７】
パルス発生器７から出力されるパルス信号は直流１２Ｖ（ボルト）であるため、このパルス信号を、パルス変換器８によって、後述するパルスカウンタカード４７（図４参照）の入力電圧に対応する直流５Ｖの電圧レベルまで降圧させるのである。具体的に、パルス変換器８は、入力側と出力側とが絶縁されるホトカプラを用いたインターフェイス回路である。パルス変換器８の出力側には制御装置４に装着されるパルスカウンタカード４７が電気接続されており、この制御装置４と電気接続される分析器３は同軸ケーブル９を介してアンテナアンプ１０と接続されている。
【００２８】
アンテナアンプ１０は、ロッドアンテナ１１から出力される微弱な電圧信号を増幅して昇圧するものであり、このアンテナアンプ１０により昇圧された電圧信号が被測定信号として同軸ケーブル９を介して分析器３へ入力される。アンテナアンプ１０は、測定車２のルーフに固定的に取着されており、その上面中央からロッドアンテナ１１が上方へ垂設されている。ロッドアンテナ１１は、測定車２が走行する際に外来電波を受信するアンテナ素子であり、自らが受信した外来電波の電界強度に比例する微弱電圧信号を出力する。
【００２９】
分析器３には、各種の設定や数値データの入力を行うための複数のキーが配列された操作パネル３ａと、測定された電気信号を表示するＣＲＴディスプレイ（以下「ＣＲＴ」という。）３ｂとが設けられ、制御装置４には、複数のキーが配列されたキーボード４ａと、各種の画像情報や文字情報を表示可能なＬＣＤディスプレイ（以下「ＬＣＤ」という）４ｂとが設けられている。
【００３０】
図２は、測定システム１の分析器３の電気的構成を示したブロック図である。図２に示すように、分析器３は、主に、操作パネル３ａ、ＣＲＴ３ｂ、ＣＰＵ３１、ＲＯＭ３２、ＲＡＭ３３、受信器３５及びインターフェイス３６を備え、これらがバスライン３４を介して相互に接続されている。
【００３１】
ＣＰＵ３１は、ＲＯＭ３２に記憶される制御プログラムに従って各種の処理を実行する演算装置であり、ＲＯＭ３２は、そのＣＰＵ３１で実行される各種の制御プログラムや固定値データを記憶した書換不能な不揮発性メモリである。ＲＡＭ３３は、各種のデータ等を一時的に記憶するための書換可能な揮発性メモリであり、波形データメモリ３３ａと、マーカ設定メモリ３３ｂと、マーカリストメモリ３３ｃと、掃引周波数幅メモリ３３ｄとを備えている。
【００３２】
波形データメモリ３３ａは、受信器３５からの出力信号をアナログ信号からデジタル信号に変換した波形データを記憶するためのメモリであり、このメモリ３３ａに記憶される波形データは所定の時間間隔、例えば、数十ｍｓ毎に新たな波形データに順次更新される。この波形データメモリ３３ａに記憶される波形データは、ＣＲＴ３ｂによって、横軸が周波数の目盛りで縦軸が各周波数成分のスペクトル値（レベル値）の目盛りの波形として表示される。
【００３３】
マーカ設定メモリ３３ｂは、第１から第１０番目までの最大１０個のマーカを分析器３に設定（指定）する場合に、その各マーカが設定される周波数帯を記憶するためのメモリであり、例えば、第１マーカから第１０マーカに対応つけて、その各マーカが設定される周波数帯の上限値および下限値を記憶することができる。本実施例では、１つのマーカの周波数幅が９ｋＨｚに設定されており、ある周波数値にマーカを設定する場合、その周波数（中心周波数）値の±４．５ｋＨｚの範囲が１マーカ分の周波数帯とされる。
【００３４】
例えば、第１マーカを８６４ｋＨｚに、第２マーカを９２７ｋＨｚに、第３マーカを１５２１ｋＨｚに設定する場合、マーカ設定メモリ３３ｂには、第１マーカの周波数帯の下限値及び上限値である８５９．５ｋＨｚ及び８６８．５ｋＨｚが、第２マーカの周波数帯の下限値及び上限値である９２２．５ｋＨｚ及び９３１．５ｋＨｚが、第３マーカの周波数帯の下限値及び上限値である１５１６．５ｋＨｚ及び１５２５．５ｋＨｚが、それぞれ記憶される。なお、このマーカの設定は、制御装置４から送信されるコマンドに従って行われる。
【００３５】
マーカリストメモリ３３ｃは、マーカ設定メモリ３３ｂに記憶される各マーカの周波数帯で測定されたスペクトル値のピーク値（最大値）と、そのスペクトル値のピーク値が得られた周波数値とを対応つけて、各マーカ毎に区分して記憶するためのメモリである。
【００３６】
図３にマーカリストメモリ３３ｃの概念図を示す。図３に示すように、マーカリストメモリ３３ｃは、周波数値が記憶される周波数エリア３３ｃ１と、その周波数エリア３３ｃ１に記憶される周波数値に対応つけて、その周波数のスペクトル値を記憶するスペクトルエリア３３ｃ２とを備えている。周波数エリア３３ｃ１及びスペクトルエリア３３ｃ２は、マーカ設定メモリ３３ｂに設定される第１番目のマーカから第１０番目のマーカに対して各々設けられている。
【００３７】
分析器３によれば、波形データメモリ３３ａに記憶される波形データが更新されると、それに伴って、マーカリストメモリ３３ｃに記憶される値も更新される。即ち、ＣＰＵ３１は、波形データが更新されると、マーカ設定メモリ３３ｂに設定済みの１又は２以上のマーカの各々について、そのマーカが設定された周波数帯で最大値となるスペクトル値と、そのスペクトル値を示した周波数値とを波形データから読み取り、そのマーカに対応する周波数エリア３３ｃ１及びスペクトルエリア３３ｃ２に記憶する。この結果、マーカリストメモリ３３ｃには、各マーカが設定された周波数帯で測定される最新かつ最大のスペクトル値を、そのスペクトル値が計測された周波数値に対応つけて、各マーカ毎に区別して常時保持することができるのである。
【００３８】
図２に戻って説明する。掃引周波数幅メモリ３３ｄは、受信器３５により周波数掃引される場合に周波数値の下限値と上限値とを記憶するためのメモリであり、このメモリ３３ｄに記憶される値は、制御装置４から送信されるコマンドに従って設定される。
【００３９】
受信器３５は、被測定信号を入力することによって、その被測定信号に含まれる周波数成分のうち、掃引周波数幅メモリ３３ｄに記憶される周波数範囲を掃引して、その周波数範囲のスペクトル値をデジタルデータの波形データとして出力するものである。この出力された波形データが上記した波形データメモリ３３ａに記憶される。インターフェイス３６は、制御装置４との間で各種のコマンドやデータの伝送を行うためのものであり、例えば、計測器相互の制御やデータ伝送のための標準バスであるＩＥＥＥ４８８．２（又はＧＰＩＢ（Ｇｅｎｅｒａｌ　Ｐｕｒｐｏｓｅ　Ｉｎｔｅｒｆａｃｅ　Ｂｕｓ　））に準拠したものである。
【００４０】
図４は、制御装置４の電気的構成を示したブロック図である。図４に示すように、制御装置４は、主に、キーボード４ａ、ＬＣＤ４ｂ、ＣＰＵ４１、ＲＯＭ４２、ＲＡＭ４３、入出力ポート４４、ハードディスク（以下「ＨＤ」という。）４５、ＧＰＩＢインターフェイスカード４６、パルスカウンタカード４７、リアルタイムクロック（以下「ＲＴＣ」という。）４８、及び、マウス４９を備えている。特に、ＣＰＵ４１、ＲＯＭ４２及びＲＡＭ４３はバスラインを介して相互に接続され、かかるバスラインは入出力ポート４４とも接続されている。
【００４１】
制御装置４のＯＳには、ＬＣＤ４ｂに表示されるアイコンと呼ばれる図像をマウス等のポインディングデバイスにより操作可能なＧＵＩ（Ｇｒａｐｈｉｃａｌ　Ｕｓｅｒ　Ｉｎｔｅｒｆａｃｅ）環境が導入されている。ここで、フォルダとは、この様なＯＳにおいてデータファイルやアプリケーションプログラムファイルを格納する制御装置４上の仮想的な空間であり、かかるフォルダにはＯＳを介して任意の名称を付与することができる。
【００４２】
ＲＡＭ４３は、主に、パルス計数メモリ４３ａ、パルス距離メモリ４３ｂ、測定開始地点メモリ４３ｃ、測定終了地点メモリ４３ｄ、測定間隔メモリ４３ｅ、走行地点メモリ４３ｆ、測定トンネルメモリ４３ｇ、測定周波数メモリ４３ｈ、開始助走メモリ４３ｉ、終了助走メモリ４３ｊ、次回測定地点メモリ４３ｋ、受信メモリ４３ｌ、電界強度メモリ４３ｍ、及び、上下線フラグ４３ｎを備えている。
【００４３】
パルス計数メモリ４３ａは、パルスカウンタカード４７により計数（カウント）されるパルス信号の数を記憶するメモリであり、パルス距離メモリ４３ｂは、パルス発生器７による１のパルス信号から次のパルス信号が出力される迄の間（１パルス周期）に測定車２が移動する距離を記憶するメモリである。よって、パルス計数メモリ４３ａの値とパルス距離メモリ４３ｂの値との積から測定車２の走行距離（移動距離）を算出することができる。
【００４４】
なお、パルス距離メモリ４３ｂに記憶される値は、車輪５が１回転するに当り測定車２が移動する実測距離（１回転移動距離値）を、車輪５が１回転する間にパルス発生器７が出力するパルス信号数（１回転パルス信号数）で除算して求められる。また、１回転移動距離値および１回転パルス信号数は、本システム１による測定が終了した場合に初期データファイル４５ｅに書き込まれてＨＤ４５に記録保持される。この初期データファイル４５ｅは、制御プログラム４５ａが再び実行される場合にＲＡＭ４３上にロードされて、制御プログラム４５ａによる各種処理に利用される。
【００４５】
測定開始地点メモリ４３ｃは、測定システム１による電界強度測定を実施する場合に測定を開始する地点位置を記憶するためのメモリであり、例えば、高速自動車道路の始発地点（０ｋｍ地点）から測定車２が所在する地点までの距離が記憶される。また、測定終了地点メモリ４３ｄは、測定システム１による電界強度測定を終了する地点位置を記憶するためのメモリであり、例えば、高速自動車道路の始発地点から測定車２が測定を終了する地点までの距離が記憶される。
【００４６】
測定開始地点メモリ４３ｃ及び測定終了地点メモリ４３ｄに記憶される値は、測定車２が走行する高速自動車道路に設置されたキロポスト（ＫＰ）に標示される距離値に基づいて決定される。キロポストは、高速自動車道路の始発地点から略１００ｍ毎に設置されその始発地点からの距離値が標示される距離標識である。よって、測定車２は、測定開始地点メモリ４３ｃの値に相当する距離値が標示されたキロポストから、測定終了地点メモリ４３ｄの値に相当する距離値が標示されたキロポストまでの区間を走行することとなる。
【００４７】
なお、以下、高速自動車道路などの道路の始発地点（起点）から任意の地点までの距離値のことをキロポスト値（又はＫＰ値）という。
【００４８】
測定間隔メモリ４３ｅは、制御装置４が分析器３のマーカリストメモリ３３ｃからデータを読み出す場合に、その読み出しの実行間隔を記憶するためのメモリである。制御装置４は、測定車２が所定の間隔距離（測定間隔）、例えば、数ｍの測定間隔を移動する毎に、分析器３のマーカリストメモリ３３ｃに記憶されるデータを読み出すため、測定間隔メモリ４３ｅに測定間隔値を記憶している。例えば、測定間隔メモリ４３ｅには、数ｍ程度の間隔距離が測定間隔値として記憶されている。
【００４９】
この結果、制御装置４は、測定車２が測定開始地点から測定終了地点までの区間を走行する際に、測定間隔メモリ４３ｅに記憶される測定間隔値に相当する距離を移動する毎に、分析器３のマーカリストメモリ３３ｃに記憶される各周波数成分のスペクトル値の読み出すことができる。
【００５０】
走行地点メモリ４３ｆは、測定車２が走行する地点のキロポスト値を記憶するためのメモリであり、このメモリ４３ｆに記憶されるキロポスト値は、プリセットキロポスト値と、パルス計数メモリ４３ａの値にパルス距離メモリ４３ｂの値を乗じた積とを加算することにより求められる。なお、プリセットキロポスト値とは、測定システム１が実稼動される以前に制御装置４に設定される初期値のひとつであって、後述する仮想計測器画面５０（図５参照）のプリセットボタン６５をクリックする際に測定車２が横付けされるプリセット地点（図８参照）のキロポスト値であり、仮想計測器画面５０の「プリセットＫＰ設定」６１の入力値でもある。
【００５１】
なお、図８（ａ）は、測定車２が高速自動車道路の上り線を走行する場合の測定区間の一例を示す図であり、図８（ｂ）は、測定車２が高速自動車道路の下り線を走行する場合の測定区間の一例を示す図である。
【００５２】
測定トンネルメモリ４３ｇは、ＨＤ４５のトンネルデータメモリ４５ｃから読み出されたトンネルファイルを一時的にロードするエリアであり、測定周波数メモリ４３ｈは、ＨＤ４５のトンネルデータメモリ４５ｃから読み出された放送周波数ファイルを一時的にロードするエリアである。開始助走メモリ４３ｉは、本システム１による測定開始地点から最初に通過するトンネルの入口地点までの距離（開始助走距離（図８参照））値を記憶するメモリであり、終了助走メモリ４３ｊは、本システム１による測定終了地点から最後に通過するトンネルの出口地点までの距離値（終了助走距離（図８参照））値を記憶するメモリである。
【００５３】
次回測定地点メモリ４３ｋは、分析器３のマーカリストメモリ３３ｃからデータを次回読み出す時点で、測定車２が到達すべき目標地点のキロポスト値を記憶するメモリである。測定車２が上り線を走行する場合には（図８（ａ）参照）、測定車２の走行地点のキロポスト値が次回測定地点メモリ４３ｋの値以下となると、測定車２が測定間隔メモリ４３ｅの値分移動したもの判断され、分析器３のマーカリストメモリ３３ｃからデータが読み出される。また、測定車２が下り線を走行する場合には（図８（ｂ）参照）、測定車２の走行地点のキロポスト値が次回測定地点メモリ４３ｋの値以上となると、分析器３のマーカリストメモリ３３ｃからデータが読み出される。
【００５４】
受信メモリ４３ｌは、分析器３のマーカリストメモリ３３ｃから読み出されたスペクトル値が一時的に保持されるメモリであり、電界強度メモリ４３ｍは、受信メモリ４３ｌに保持されたスペクトル値を補正して得られる電界強度値を一時的に保持するメモリである。また、上下線フラグ４３ｎは、測定車２を走行させて電界強度測定を実行する車線が「上り線」か或いは「下り線」かを示すフラグであり、車線が「上り線」の場合にオンされ、「下り線」の場合にオフされる。
【００５５】
入出力ポート４４には、更に、キーボード４ａ、ＬＣＤ４ｂ、ＨＤ４５、ＧＰＩＢインターフェイスカード４６、パルスカウンタカード４７、ＲＴＣ４８及びマウス４９も接続されている。ＨＤ４５は、分析器３のＲＡＭ３３に比べて大容量の書換可能な不揮発性メモリであり、制御装置４のＯＳ、各種のアプリケーションプログラム及びデータファイルを記憶するものである。
【００５６】
ＨＤ４５は、特に、制御プログラム４５ａ、補正値テーブル４５ｂ、トンネルデータメモリ４５ｃ、測定データファイルメモリ４５ｄ、及び、上記した初期データファイル４５ｅを備えている。制御プログラム４５ａは、測定システム１全体を制御する実行形式のプログラムであり、制御装置４のＬＣＤ４ｂに表示される専用のアイコンや、コマンドライン上にファイル名を入力することによって、ＨＤ４５からＲＡＭ４３上にロードされて起動される。この制御プログラム４５ａを実行することによって、仮想計測器画面５０（図５参照）がＬＣＤ４ｂに表示される。なお、後述する図９から図１５のフローチャートに示す処理は、制御プログラム４５ａの一部として記録されている。
【００５７】
図５は、仮想計測器画面５０の概念図である。この仮想計測器画面５０は、制御装置４の制御プログラム４５ａが実行されることによって、制御装置４のＬＣＤ４ｂに表示される。仮想計測器画面５０は、ＬＣＤ４ｂに表示される仮想的な計測器を表示した画面であり、その見出しや項目には、ポインティングデバイスによりクリックすると、それに関連付けられている指令を実行する機能や、入力された数値データ等をＲＡＭ４３上の所定のメモリへ書き込む機能などが付与されている。なお、図５の仮想計測器画面５０に表示される各種データは、図８（ａ）に示す測定区間を測定車２が走行する場合の一例である。
【００５８】
仮想計測器画面５０の最上部には左から順に「管理事務所名」５１、「道路名」５２、「ブロック名」５３、「トンネル名」５４、「入口ＫＰ」５５、「出口ＫＰ」５６、「放送局名」５７、「周波数」５８の各欄がそれぞれ表示されており、これらの各欄５１〜５８の下方には、その各欄５１〜５８に対応したデータが各々表示可能なデータ欄が表示されている。この各データ欄に表示される内容は、後述する「データ選択」６３の項目によって選択される。
【００５９】
「管理事務所名」５１のデータ欄には管理事務所名が１つ表示される。管理事務所名とは、高速自動車道路を管理する事務所の名称であり、例えば、北信越地域にあっては、新潟管理事務所、長岡管理事務所、上越管理事務所、金沢管理事務所、福井管理事務所、敦賀管理事務所および富山管理事務所が該当する。
【００６０】
「道路名」５２のデータ欄には道路名が１つ表示される。道路名とは、管理事務所によって管理される高速自動車道路の名称であり、例えば、上記した７つの管理事務所により管理される磐越自動車道、北陸自動車道、上信越自動車道および東海北陸自動車道の合計４つの高速自動車道路の名称である。
【００６１】
「ブロック名」５３のデータ欄にはブロック区間名が１つ表示される。ブロック区間名とは、１の高速自動車道路のうち１の管理事務所により管理される区間を、その上り線又は下り線について１以上のトンネルが所在する１又は２以上の小区間（ブロック区間）に分割した場合に、その各ブロック区間に付される名称である（図６参照）。
【００６２】
「トンネル名」５４のデータ欄にはトンネル名が複数表示可能であり、このトンネル名とは上記した各ブロック区間に所在するトンネルの名称である。「入口ＫＰ」５５のデータ欄には入口キロポスト値が複数表示可能であり、この入口キロポスト値とはトンネル名により特定されるトンネルの入口地点のキロポスト値である。「出口ＫＰ」５６のデータ欄には出口キロポスト値が複数表示可能であり、この出口キロポスト値とはトンネル名により特定されるトンネルの出口地点のキロポスト値である。
【００６３】
「放送局名」５７のデータ欄には放送局名が複数表示可能であり、この放送局名とは上記したトンネル名で特定されるトンネル構内で再放送されるＡＭラジオ放送の放送局の名称である。「周波数」５８のデータ欄には放送周波数が複数表示可能であり、この放送周波数とは上記した放送局名により特定されるＡＭラジオ放送局が放送に用いる電波の周波数の値である。
【００６４】
また、上記した欄５１〜５３の下方には上から順に「トンネル入口測定開始距離」５９、「トンネル出口測定終了距離」６０、「プリセットＫＰ設定」６１、「タイヤ１回転の移動量」６２の項目が表示されており、これらの各項目５９〜６２には数値が入力可能な入力欄が設けられている。
【００６５】
「トンネル入口測定開始距離」５９は、開始助走距離の値を指定するための項目であって、この項目５９の入力欄に入力される数値を変更することにより開始助走メモリ４３ｉの値を変更できる。「トンネル出口測定終了距離」６０は、終了助走距離の値を指定するための項目であって、この項目６０の入力欄に入力される数値を変更することにより終了助走メモリ４３ｊの値を変更できる。
【００６６】
「プリセットＫＰ設定」６１は、プリセットキロポスト値を指定するための項目であり、この項目６１の入力欄に入力される数値を変更することにより走行地点メモリ４３ｆに初期設定されるプリセットキロポスト値を変更できる。「タイヤ１回転の移動量」６２は、上記した１回転移動距離値を指定するための項目であり、この項目６２の入力欄に入力される数値を変更することにより１回転移動距離値を変更し、パルス距離メモリ４３ｂの記憶値を変更できる。
【００６７】
また、仮想計測器画面５０の下部左側には「データ選択」６３及び「ファイル書込先指定」６４の項目、プリセットボタン６５及び書込許可ボタン６６が表示されている。「データ選択」６３は、上記した項目５１〜５８のデータ欄に入力表示されるデータが記録されたファイルが格納されるアドレスを選択するための項目であり、「ファイル書込先指定」６４は、測定データファイルメモリ４５ｄに測定データファイルを書き込む際のアドレスを指定するための項目である。
【００６８】
ここでいうところのアドレスとは、ＨＤ４５上の具体的なセクタ及びトラック番号を示すものではない。制御装置４のＯＳが備えるファイルシステムによって、ＨＤ４５上の各記憶部にどのファイルが格納されているかについては全て管理されている。このファイルシステムは、ＨＤ４５内に格納されるファイルを階層化されたフォルダの集合構造を用いて管理しており、各プログラム上からは、少なくともフォルダ名及びファイル名で表されるパス名を参照すれば、そのパス名に対応するファイルがＨＤ４５上のどの記憶部に格納されているかを確認することができる。即ち、その意味で、ファイルシステムで用いられるパス名がＨＤ４５上のアドレスを示すことになる。
【００６９】
なお、フォルダとは、ＧＵＩ環境が導入されたＯＳにおいてデータファイルやアプリケーションプログラムファイルを格納する制御装置４上の仮想的な空間であり、かかるフォルダにはＯＳを介して任意の名称（フォルダ名）を付与することができる。
【００７０】
「データ選択」６３の項目には、選択ボタン６３ａと、表示欄６３ｂとが表示されている。選択ボタン６３ａは、トンネルファイル９１及び放送周波数ファイル９２（図６及び図７参照）の格納元であるフォルダを選択する際にクリックされるボタンである。このボタン６３ａがクリックされると、所望のトンネルファイル９１及び放送周波数ファイル９２が格納されるフォルダを後述する階層化フォルダ８０から選択するための選択画面（図示せず）が表示される。また、表示欄６３ｂには、この選択画面により選択されたトンネルファイル９１及び放送周波数ファイル９２が格納されるフォルダのパス名が表示される。
【００７１】
「ファイル書込指定」６４の項目には、選択ボタン６４ａと、表示欄６４ｂとが表示されている。選択ボタン６４ａは、測定データファイルの書込先となるフォルダを指定する際にクリックされるボタンであり、このボタン６４ａがクリックされると、測定データファイルの格納先であるフォルダを選択するための選択画面（図示せず）が表示される。また、表示欄６４ｂには、この選択画面により選択されたフォルダのパス名が表示される。「ファイル書込指定」６４の項目の下方にはプリセットボタン６５及び書込許可ボタン６６が横並びに表示されている。
【００７２】
プリセットボタン６５は、「プリセットＫＰ設定」６１への数値入力が完了し、走行地点メモリ４３ｆの値をプリセットする場合にクリックされるボタンである。書込許可ボタン６６は、後述するＨＤ４５の測定データファイルメモリ４５ｄに記憶される測定データファイルにデータを書き込む場合にクリックされるボタンであり、このボタン６６のクリックにより、測定データファイルへのデータ書き込みが許可される。また、この書込許可ボタン６６が再クリックされると、測定データファイルへのデータ書込みが一時的に中断され、再々クリックにより測定データファイルへのデータ書込みが再開される。
【００７３】
プリセットボタン６５及び書込許可ボタン６６の下には左から順に「開始距離」６７、「次回測定距離」６８、「終了距離」６９及び「ＳＡＶＥ数」７０の項目が表示されている。「開始距離」６７の項目には、測定開始地点のキロポスト値を表示する表示欄が設けられており、この表示欄には測定開始地点メモリ４３ｃの値が表示される。「次回測定距離」６８の項目には、次回の測定を実施する地点のキロポスト値を表示する表示欄が設けられており、この表示欄には次回測定地点メモリ４３ｋの値が表示される。
【００７４】
「終了距離」６９の項目には、測定終了地点のキロポスト値を表示する表示欄が設けられており、この表示欄には測定終了地点メモリ４３ｄの値が表示される。「ＳＡＶＥ数」７０の項目には、電界強度メモリ４３ｍに一時記憶された電界強度値が測定データファイルに書き込まれるたびにカウントアップされる数値が表示される表示欄が設けられており、この表示欄の表示数値を参照することで、測定ファイルデータへのデータ書込み回数を知ることができる。
【００７５】
仮想計測器画面５０の下部右側には上から順に「測定単位ＫＰ」７１、「走行距離」７２、及び、「車速度」７３の項目が表示されている。「測定単位ＫＰ」７１の項目には、測定間隔メモリ４３ｅに記憶される値を入力する入力欄が設けられており、この入力欄の数値を変更することで、測定間隔メモリ４３ｅの値を変更することができる。「走行距離」７２の項目には、測定開始地点からの移動距離を表示する表示欄が設けられており、この表示欄には、測定開始地点から起算した測定車２の走行距離が表示される。「車速度」７３の項目には、測定車２の走行速度がＣＰＵ４１により演算されて表示される。
【００７６】
仮想計測器画面５０の下部中央には上から順に、横並びの測定ボタン７４及び停止ボタン７５、並びに、装置リセットボタン７６、「状態表示」７７の項目、及び、測定終了ボタン７８が表示されている。測定ボタン７４は、必須データの入力が完了した場合にクリックされるボタンである。停止ボタン７５は、測定ボタン７４のクリックにより開始された測定処理を強制終了させる場合にクリックされるボタンであり、測定終了ボタン７８は、制御プログラム４５ａを終了させるためにクリックされるボタンである。
【００７７】
図４に戻って説明する。補正値テーブル４５ｂは、分析器３により測定されたスペクトル値を、電界強度計による電界強度測定値に補正するために参照されるテーブルである。補正値テーブル４５ｂには、例えば、トンネルデータメモリ４５ｃに記憶される複数のトンネル構内で再放送されている複数の放送周波数と、その各周波数に対応に対応つけられる補正値とが記憶されている。この補正値テーブル４５ｂは、制御プログラム４５ａが実行されると、制御装置４のＲＡＭ４３上にロードされて利用される。
【００７８】
なお、これより説明の便宜上、補正値テーブルに付する符号には、ＨＤ４５に記憶された状態でも、ＲＡＭ４３上にロードされた状態でも共通した「４５ｂ」を使用する。
【００７９】
ここで、分析器３のマーカリストメモリ３３ｃに記憶される１又は２以上の周波数成分のスペクトル値が制御装置４へ転送されると、ＣＰＵ４１は、その各周波数成分毎に、その周波数成分に対応する補正値を補正値テーブル４５ｂから読み取り、その読み取った補正値を当該周波数成分のスペクトル値に加算して、当該周波数成分の電界強度値を求める。なお、補正値テーブル４５ｂに記憶される補正値は、電界強度計及び分析器３によって各周波数の電波をそれぞれ測定し、その電界強度計の測定値と分析器３の測定値との差として得られた数値であり、事前に行った実験から求められたものである。
【００８０】
トンネルデータメモリ４５ｃは、測定システム１による電波強度測定の対象となる道路に関し、管理事務所名、道路名、ブロック区間名、トンネル名、入口キロポスト値、出口キロポスト値、放送局名および放送周波数のデータをそれぞれ対応つけて記憶するメモリである。図６は、トンネルデータメモリ４５ｃに記憶される各データを管理する階層化フォルダ８０の概念図の一例であって、北信越地域にある高速自動車道路に関するものである。
【００８１】
図６に示すように、制御装置４では、トンネルデータメモリ４５ｃに記憶されるデータは、階層構造化された複数のフォルダと、そのフォルダ内に格納されるデータファイルとして管理されている。階層化フォルダ８０は、その最上位階層に合計７つの管理事務所フォルダ８１〜８７が設けられており、この各フォルダ８１〜８７には、「新潟管理事務所」、「長岡管理事務所」、「上越管理事務所」、「金沢管理事務所」、「福井管理事務所」、「敦賀管理事務所」及び「富山管理事務所」のフォルダ名が付与されている。
【００８２】
「上越管理事務所」の管理事務所フォルダ８３には、その下位階層として道路フォルダ８８，８９が設けられ、そのフォルダ８８には「北陸自動車道」が、フォルダ８９には「上信越自動車道」がフォルダ名として付されている。上越管理事務所による北陸自動車道の管轄区間を示す道路フォルダ８８には、更に、その下位階層としてのブロック区間フォルダ９０〜９７が設けられ、このフォルダ９０〜９４には順番に「Ａ１ブロック」から「Ａ５ブロック」のブロック区間名が、フォルダ９５〜９７には順番に「Ｂ１ブロック」から「Ｂ３ブロック」のブロック区間名が付与されている。
【００８３】
ここで、ブロック区間名中の「Ａ」の記号は高速自動車道路の「上り線」を、「Ｂ」の記号は高速自動車道路の「下り線」を表し、ブロック区間名中の「Ａ」又は「Ｂ」に続く数字は、そのブロック区間名が属する高速自動車道路の管轄区間の上り線又は下り線で連続する各ブロック区間に連番で付される。よって、例えば、「Ａ１ブロック」は、ある管轄区間の上り線における第１番目のブロック区間に付され、「Ｂ２ブロック」は、ある管理区間の下り線における第２番目のブロック区間に付される。
【００８４】
上越管理事務所が管轄する北陸自動車道のＡ１ブロックを示すブロック区間フォルダ９０には、そのトンネルファイル９８及び放送周波数ファイル９９が格納されている。なお、図６および上記説明では省略したが、管理事務所フォルダ８１〜８７のうち上記した管理事務所フォルダ８３を除くものについても、管理事務所フォルダ８３と同様に、道路名を冠した１又は２以上の道路フォルダがそれぞれ設けられており、その各道路フォルダには、更に、１又は２以上のブロック区間フォルダがそれぞれ設けられ、その各ブロック区間フォルダには、トンネルファイル及び放送周波数ファイルが一組ずつそれぞれ格納されている。
【００８５】
図７（ａ）は、北陸自動車道の上越管理事務所の管轄区間のＡ１ブロックに関するトンネルファイル９８の概念図である。図７（ａ）に示すように、トンネルファイル９８は、上記した管理事務所名、道路名及びブロック区間名で特定される区間内に所在する１又は２以上のトンネルに関し、当該トンネル名と、当該トンネルの入口キロポスト値と、当該トンネルの出口キロポスト値とがそれぞれ対応つけて記録されており、実際にはＣＳＶ形式のデータファイルである。なお、ＣＳＶ（Ｃｏｍｍａ　Ｓｅｐａｒａｔｅｄ　Ｖａｌｕｅ）形式とは、ファイルに記録される２以上のデータを項目毎にカンマで区切って羅列させたファイル形式のことである。
【００８６】
図７（ｂ）は、図７（ａ）のトンネルファイル９８に対応する放送周波数ファイル９９の概念図である。図７（ｂ）に示すように、放送周波数ファイル９９は、同一のフォルダ内に格納されたトンネルファイル９８に記録されたトンネル名により特定される１又は２以上のトンネルで、実際に再放送されている１又は２以上のラジオ放送局の放送局名と、その放送局名により特定されるラジオ放送局の放送用電波の周波数値とがそれぞれ対応つけて記録されており、実際にはトンネルファイル９８と同様のＣＳＶ形式のデータファイルである。
【００８７】
図４に戻って説明する。測定データファイルメモリ４５ｄは、本システム１により測定された電界強度値データをファイル形式で複数記憶可能なメモリである。この測定データファイルメモリ４５ｄには、本システム１による測定処理が実行される毎に、新たなデータファイル（以下「測定データファイル」という。）が生成される。測定データファイルは、測定開始地点メモリ４３ｃに記憶されるキロポスト値が示す地点から測定終了地点メモリ４３ｄに記憶されるキロポスト値が示す地点までの区間を走行間に測定される各周波数の電波の電界強度値を、ＣＳＶ形式で記録したデータファイルである。
【００８８】
初期データファイル４５ｅは、上記した開始助走距離値、終了助走距離値、１回転移動距離値、１回転パルス信号数、プリセットキロポスト値、及び、測定間隔値の初期値を記録するためのデータファイルである。この初期データファイル４５ｅに記憶される各数値は、制御プログラム４５ａの起動に伴って、ＲＡＭ４３上のデータロードエリアに読み出され、ＣＰＵ４１による各種演算に利用される一方、仮想計測器画面５０の各部にも表示される。
【００８９】
例えば、開始助走距離値及び終了助走距離値は、開始助走メモリ４３ｉ及び終了助走メモリ４３ｊへ書き込まれると共に、仮想計測器画面５０の「トンネル入口測定開始距離」５９及び「トンネル出口測定終了距離」６０の入力欄に表示される。また、１回転移動距離値を１回転パルス信号数で除した値はパルス距離メモリ４３ｂへ書き込まれ、１回転移動距離値は更に仮想計測器画面５０の「タイヤ１回転の移動量」６２の入力欄に表示される。また、プリセットキロポスト値は、仮想計測器画面５０の「プリセットＫＰ設定」６１に表示され、測定間隔値は、測定間隔メモリ４３ｅへ書き込まれると共に仮想計測器画面５０の「測定単位ＫＰ」７１の入力欄に表示される。
【００９０】
一方、仮想計測器画面５０の測定終了ボタン７８がクリックされ、制御プログラム４５ａが終了した場合には、その時点で、仮想計測器画面５０の項目５９〜６２及び項目７１の入力欄に入力されている数値は、初期データファイル４５ｅに書き込まれてＨＤ４５に記録保持される。なお、初期データファイル４５ｅに記録される各データは、エディタ機能を有するアプリケーションプログラムを使用することにより直接書き換えることもできる。
【００９１】
ＧＰＩＢインターフェイスカード４６は、ＧＰＩＢ規格に準拠して分析器３との間で各種のコマンドやデータの伝送を行うためのものであり、制御装置４のスロットへ着脱可能に装着されるＰＣＭＣＩＡカードで形成されている。また、パルスカウンタカード４７は、パルス変換器８から出力される直流５Ｖのパルス信号をデジタル信号にＡ／Ｄ変換し、そのＡ／Ｄ変換されたデジタル信号を計数する２４ビットのパルスカウンタ機能を備え、制御装置４のスロットへ着脱可能に装着されるＰＣＭＣＩＡカードで形成されている。
【００９２】
このパルスカウンタカード４７による計数値は、ＣＰＵ４１によって所定時間（例えば略５ｍｓ）経過する毎に読み出され、上記したＲＡＭ４３のパルス計数メモリ４３ａに上書きされる。これによって、パルス計数メモリ４３には、常にパルスカウンタカード４７から出力された最新のパルス計数値が記憶保持されるのである。このパルスカウンタカード４７からのパルス計数値の読み出しは、割り込み処理によって実行される。
【００９３】
ＲＴＣ４８は、年、月、日、曜日、時間、分、秒の計時を行うＩＣであり、ＲＴＣ４８により計時された時間はＣＰＵ４１によって読み出され、各処理に使用される。特に、本システム１により測定された電界強度値を、測定車２の走行地点のキロポスト値及び測定時刻に対応つけて測定データファイルへ書き込む場合は、その測定時刻は、このＲＴＣ４８の値に基づいて決定される。マウス４９は、ＬＣＤ４ｂに表示されるアイコンと呼ばれる図像や、仮想計測器画面５０を操作するためのポインディングデバイスである。
【００９４】
次に、上記のように構成された測定システム１の使用方法、及び、その測定システム１の制御装置４で実行される各処理について図９から図１５のフローチャートを参照して説明する。まず、測定システム１による電界強度測定を実施する場合には、その事前準備として、測定車２で電界強度測定を実施する高速自動車道路の上り線又は下り線へ乗り入れると共に、制御プログラム４５ａを起動させる。
【００９５】
図９は、プログラム起動時処理のフローチャートである。制御プログラム４５ａは、制御装置４のＬＣＤ４ｂに表示されるアイコンがマウス４９によりクリックされると起動される。制御プログラム４５ａが起動されると、このプログラム起動時処理が実行され、この処理では、まず、仮想計測器画面５０を制御装置４のＬＣＤ４ｂに表示し（Ｓ１）、その一方でＨＤ４５から初期データファイル４５ｄをＲＡＭ４３のデータロードエリア上に読み出して、その初期データファイル４５ｅに記録されている各数値を、上記したように仮想計測器画面５０の各部に表示する（Ｓ２）。
【００９６】
Ｓ２の処理後は、初期データファイル４５ｄに記録される１回転移動距離値を１回転パルス信号数で除した値を、パルス距離メモリ４３ｂにひとまず書き込み（Ｓ３）、初期データファイル４５ｄに記録される測定間隔値及びプリセットキロポスト値を測定間隔メモリ４３ｅ及び走行地点メモリ４３ｆにそれぞれひとまず書き込む（Ｓ４，Ｓ５）。その後、仮想計測器画面５０の測定終了ボタン７８がクリックされなければ（Ｓ６：Ｎｏ）、制御装置４における各処理を実行する（Ｓ７）。
【００９７】
Ｓ７の各処理としては、図１０から図１５のフローチャート及び、その他の処理が実行される。この各処理の一部には、初期データファイル４５ｅに基づいて仮想計測器画面５０の各部に表示された数値を変更する操作も含まれる。初期データファイル４５ｅには、前回の制御プログラム４５ａの終了時に仮想計測器画面５０の各部に表示されていた数値が保存されているので、前回とは異なるブロック区間で電波の電界強度測定を実施する場合には自ずとプリセット地点が異なってくる。
【００９８】
よって、かかる場合には、今回の電波電波強度測定におけるプリセット地点のキロポスト値であるプリセットキロポスト値を「プリセットＫＰ設定」６１の入力欄に入力し直すのである。また、測定車２の車輪５の摩耗や交換により１回転移動距離値が変動した場合には、新たに１回転移動距離値を実測して、その実測値を「タイヤ１回転の移動量」６２の入力欄に入力し直す。
【００９９】
更に、電波の電界強度測定を実施するブロック区間の前後に設定される開始助走距離および終了助走距離（図８参照）の値を変更する場合には、その変更後の数値を「トンネル入口測定開始距離」５９及び「トンネル出口測定開始距離」６０の入力欄にそれぞれ入力し直し、測定間隔値も「測定単位ＫＰ」７１の入力欄の数値を入力し直すことで変更できる。
【０１００】
ここで、仮想計測器画面５０の各部に入力及び表示される数値や文字は、ＣＰＵ４１により監視されており、これらの数値や文字に変更が生じた場合、ＣＰＵ４１は、当該変更後の数値や文字に基づいて、当該変更後の数値や文字に関連するデータを記憶したＲＡＭ４３の走行地点メモリ４３ｆ、パルス距離メモリ４３ｂ、測定間隔メモリ４３ｅ、開始助走メモリ４３ｉ及び終了助走メモリ４３ｊの値を書き換えるのである。
【０１０１】
各処理（Ｓ７）の実行後は、再度、処理をＳ６へ移行して、測定終了ボタン７８がクリックされるまで各処理（Ｓ７）を繰り返す（Ｓ６：Ｎｏ）。一方、測定終了ボタン７８がクリックされれば（Ｓ６：Ｙｅｓ）、仮想計測器画面５０に表示されている所定のデータを初期データファイル４５ｅに書き込み、そのファイル４５ｅをＨＤ４５に保存して（Ｓ８）、仮想計測器画面５０をＬＣＤ４ｂから消去して（Ｓ９）、このプログラム起動時処理を終了する。
【０１０２】
図１０は、測定ブロック区間選択処理のフローチャートである。この処理は、これより電波の電界強度測定が実施される高速自動車道路のブロック区間を仮想計測画面５０を用いて測定システム１に設定するための処理であり、仮想計測器画面５０の「データ選択」６３の選択ボタン６３ａがクリックされた場合に実行される。この処理では、まず、制御装置４のＲＡＭ４３上にロードされるファイルをＨＤ４５から選択（特定）させる選択画面（図示せず）を、ＬＣＤ４ｂに表示し（Ｓ１１）、その選択画面が操作されて任意の管理事務所フォルダ、道路フォルダ及びブロック区間フォルダが選択されるまで待機する（Ｓ１２：Ｎｏ）。
【０１０３】
選択画面により任意の管理事務所フォルダ、道路フォルダ及びブロック区間フォルダが選択されると（Ｓ１２：Ｙｅｓ）、選択画面をＬＣＤ４ｂから消去し（Ｓ１３）、再び、仮想計測器画面５０を表示して、Ｓ１２で選択が確認された任意の管理事務所フォルダ、道路フォルダ及びブロック区間フォルダのフォルダ名から成るパス名を、「データ選択」６３の表示欄６３ｂに表示する（Ｓ１４）。この際に、Ｓ１２で選択が確認されたブロック区間フォルダのフォルダ名の頭文字を確認し（Ｓ１５）、その頭文字が「Ａ」の場合は（Ｓ１５：「Ａ」）、上下線フラグ４３ｎをオンし（Ｓ１６）、又は、その頭文字が「Ｂ」の場合は（Ｓ１５：「Ｂ」）、上下線フラグ４３ｎをオフする（Ｓ１７）。
【０１０４】
「データ選択」６３の表示欄６３ｂに表示されたパス名中の管理事務所フォルダ名、道路フォルダ名およびブロック区間フォルダ名は、画面表示処理（Ｓ１８）によって、仮想計測器画面５０の「管理事務所名」５１、「道路名」５２及び「ブロック名」５３のデータ欄に管理事務所名、道路名およびブロック区間名として表示される。また、上下線フラグ４３ｎがオンであれば、仮想計測器画面５０の「走行位置」７９の上下線表示欄７９ｂに「上り」の文字が、上下線フラグ４３ｎがオフであれば、「走行位置」７９の上下線表示欄７９ｂに「下り」の文字が、それぞれ表示される。
【０１０５】
更に、Ｓ１４で表示されたパス名に基づいて、トンネルデータメモリ４５ｃに格納されているトンネルファイル及び放送周波数ファイルの格納元が特定されるので、その格納元からトンネルファイル及び放送周波数ファイルを読み出して測定トンネルメモリ４３ｇ及び測定周波数メモリ４３ｈに書き込む（Ｓ１９）。この書き込み後は、画面表示処理（Ｓ２０）によって、測定トンネルメモリ４３ｇに記憶される１又は２以上のトンネル名、入口キロポスト値および出口キロポスト値が仮想計測器画面５０の「トンネル名」５４、「入口ＫＰ」５５及び「出口ＫＰ」５６のデータ欄に、また、測定周波数メモリ４３ｈに記憶される１又は２以上の放送局名および周波数が仮想計測器画面５０の「放送局名」５７及び「周波数」５８のデータ欄に、それぞれ表示される。この表示後は、スペクトル分析器設定処理を実行して（Ｓ２１）、この測定ブロック区間選択処理を終了する。
【０１０６】
図１１は、スペクトル分析器設定処理のフローチャートである。この処理では、まず、上下線フラグ４３ｎをチェックし（Ｓ２２）、このフラグ４３ｎがオンであれば（Ｓ２２：Ｙｅｓ）、測定トンネルメモリ４３ｇに記憶される入口キロポスト値及び出口キロポスト値のうちで最大値のものを読み出し、当該最大キロポスト値に開始助走メモリ４３ｉの値を加算した値を、測定開始地点メモリ４３ｃに書き込む（Ｓ２３）。
【０１０７】
また、測定トンネルメモリ４３ｇに記憶される入口キロポスト値及び出口キロポスト値のうちで最小値のものを読み出し、当該最小キロポスト値から終了助走メモリ４３ｊの値を減算した値を、測定終了地点メモリ４３ｄに書き込む（Ｓ２４）。更に、測定開始地点メモリ４３ｃの値から測定間隔メモリ４３ｅの値を減算した値を、次回測定地点メモリ４３ｋに書き込む（Ｓ２５）。
【０１０８】
一方、上下線フラグ４３ｎがオフであれば（Ｓ２２：Ｎｏ）、測定トンネルメモリ４３ｇに記憶される入口キロポスト値及び出口キロポスト値のうちで最小値のものを読み出して、当該最小キロポスト値から開始助走メモリ４３ｉの値を減算した値を測定開始地点メモリ４３ｃに書き込み（Ｓ２６）、測定トンネルメモリ４３ｇに記憶される入口キロポスト値及び出口キロポスト値のうちで最大値のものを読み出して、当該最大キロポスト値に終了助走メモリ４３ｊの値を加算した値を測定終了地点メモリ４３ｄに書き込み（Ｓ２７）、測定開始地点メモリ４３ｃの値に測定間隔メモリ４３ｅの値を加算した値を次回測定地点メモリ４３ｋに書き込むのである（Ｓ２８）。
【０１０９】
なお、測定開始地点メモリ４３ｃ、測定終了地点メモリ４３ｄ及び次回測定地点メモリ４３ｋに記憶された値は、仮想計測器画面５０の「開始距離」６７、「次回測定距離」６８及び「終了距離」６９の表示欄にそれぞれ表示される。
【０１１０】
測定開始地点メモリ４３ｃ、測定終了地点メモリ４３ｄ及び次回測定地点メモリ４３ｋの値をセットした後は、分析器３の掃引周波数幅メモリ３３ｄに掃引周波数の上限値および下限値を設定する（Ｓ２９，Ｓ３０）。具体的には、測定周波数メモリ４３ｈに記憶される全ての周波数の中から最小値のものを読み出し、その最小周波数値から９ｋＨｚ減算した値を、掃引周波数の下限値として、分析器３の掃引周波数幅メモリ３３ｄに設定する（Ｓ２９）。そして、測定周波数メモリ４３ｈに記憶される全ての周波数の中から最大値のものを読み出し、その最大周波数値に９ｋＨｚ加算した値を、掃引周波数の上限値として、分析器３の掃引周波数幅メモリ３３ｄに設定する（Ｓ３０）。
【０１１１】
このようにして掃引周波数の上限値および下限値を設定することによって、分析器３は必要最小限の周波数範囲でのみ周波数掃引をできるので、分析器３における周波数掃引時間を必要最小限に抑制することができ、測定結果の分解能を高めることができる。また、我が国のＡＭラジオ放送の受信周波数帯は、５３０ｋＨｚ〜１６２０ｋＨｚの周波数範囲であり、各放送局が使用する電波（搬送波）の周波数は、５３１ｋＨｚから９ｋＨｚ間隔で割り当てられている。そこで、本実施例では、電界強度測定対象となる電波の周波数値の最小値より９ｋＨｚ低い値から、最大値の９ｋＨｚ高い値までを、掃引周波数帯として設定している。
【０１１２】
分析器３の掃引周波数幅を設定した後は、測定周波数メモリ４３ｈに記憶される各周波数値毎に、分析器３にマーカを設定する（Ｓ３１〜Ｓ３２）。具体的には、測定周波数メモリ４３ｈに記憶される周波数のうちで、最小となる周波数値を読み出し、その最小周波数値の±４．５ｋＨｚの周波数帯を第１マーカとして、マーカ設定メモリ３３ｂに設定する（Ｓ３１）。ここで、測定周波数メモリ４３ｈに１局分の放送周波数しか記憶されていなければ（Ｓ３２：Ｎｏ）、それ以上分析器３にマーカを設定する必要がないので、このスペクトル分析器設定処理を終了する。
【０１１３】
一方、測定周波数メモリ４３ｈに２以上の周波数値が記憶されている場合には（Ｓ３２：Ｙｅｓ）、測定周波数メモリ４３ｈに記憶されている周波数のうちで、次に小さい周波数値を読み出し、その周波数値の±４．５ｋＨｚの周波数帯を次のマーカとして、マーカ設定メモリ３３ｂに設定する（Ｓ３２）。設定後は、処理をＳ３２へ移行して、測定周波数メモリ４３ｈに記憶される全ての周波数値について分析器３にマーカが設定されるまで、Ｓ３２及びＳ３３を繰り返す。この結果、分析器３には第１マーカから順にマーカが設定され、このマーカの設定は、周波数値が小さいものから順に行われる。
【０１１４】
図１２は、電界強度測定処理のフローチャートである。まず、この処理が実行される前提条件として、外来電波がロッドアンテナ１１により受信され、その外来電波の電界強度に比例した微弱電圧信号がロッドアンテナ１１からアンテナアンプ１０に入力されて昇圧され、この昇圧された電圧信号が被測定信号として同軸ケーブル９を介して受信器３５へ入力される。
【０１１５】
この条件下において、電界強度測定処理では、まず、仮想計測器画面５０に必須データが全て表示及び入力されているかを判断する（Ｓ４１）。具体的には、仮想計測器画面５０の項目５１〜５８のデータ欄、項目５９〜６２の入力欄、項目６３，６４の表示欄、及び、項目７１の入力欄へのデータの表示及び入力がなされるまで待機し（Ｓ４１：Ｎｏ）、その表示及び入力が完了していれば（Ｓ４１：Ｙｅｓ）、測定ボタン７４及びプリセットボタン６５がクリックされるまで待機する（Ｓ４２，Ｓ４３：Ｎｏ）。
【０１１６】
測定ボタン７４がクリックされると（Ｓ４２：Ｙｅｓ）、ＣＰＵ４１は、分析器３へコマンドを出力し、このコマンドを受けた分析器３のＣＰＵ３１は、ＲＯＭ３２に記憶される制御プログラムに従って、一連の計測動作を繰り返し実行する。この計測動作によれば、まず、被測定信号が受信器３５に入力されると、受信器３５は、被測定信号について掃引周波数幅３３ｄに記憶される周波数範囲で掃引を開始し、周波数スペクトルの波形データを出力する。また、出力された周波数スペクトルの波形データは、波形データメモリ３３ａに記憶されると共に、ＣＲＴ３ｂに表示される。
【０１１７】
更に、この計測動作では、分析器３のＣＰＵ３１によって、マーカ設定メモリ３３ｂに記憶される１又は２以上のマーカについて、第１マーカから順に以下の記録処理が実行される。この記録処理とは、あるマーカが設定された周波数帯で最大となるスペクトル値と、そのスペクトル値を示した周波数値とを、波形データメモリ３３ａに記憶される波形データから読み取り、読み取られた当該周波数値及びスペクトル値をマーカリストメモリ３３ｃの周波数エリア３３ｃ１及びスペクトルエリア３３ｃ２に書き込むものである。
【０１１８】
一方、測定ボタン７４をクリックした後（Ｓ４２：Ｙｅｓ）、プリセットボタン６５をクリックする場合には、まず、「プリセットＫＰ設定」６１の入力欄へ入力値と等しいキロポスト値が標示されたキロポストに測定車２を横付けして停車させる。測定車２を停車させた後、プリセットボタン６５がクリックされると（Ｓ４３：Ｙｅｓ）、パルスカウンタカード４７によるパルス信号の計数が開始され走行地点演算処理（図１３参照）が開始されると共に、その演算結果が仮想計測器画面５０の「走行位置」７９の表示欄７９ａにも表示される。
【０１１９】
また、プリセットボタン６５がクリックされると（Ｓ４３：Ｙｅｓ）、仮想計測器画面５０の「ファイル書込指定」６４の表示欄６４ｂに表示されたパス名が示す測定データファイルメモリ４５ｄのアドレス上に、新たな測定データファイルを生成する（Ｓ４４）。その後、書込許可ボタン６６がクリックされるまでＳ４４で生成された測定データファイルへのデータ書き込みを禁止しつつ、処理を待機し（Ｓ４５：Ｎｏ）、書込許可ボタン６６がクリックされると（Ｓ４５：Ｙｅｓ）、測定データファイルへのデータ書き込みを許可して、上下線フラグ４３ｎをチェックする（Ｓ４６）。
【０１２０】
上下線フラグ４３ｎがオンであれば（Ｓ４６：Ｙｅｓ）、測定車２は高速自動車道路の上り線を走行するものと判断して、走行地点メモリ４３ｆに記憶されるキロポスト値が測定開始地点メモリ４３ｃの値以下になるまで待機する（Ｓ４７：Ｎｏ）。測定車２がプリセット地点を出発して測定開始地点を通過すると（図８（ａ）参照）、走行地点メモリ４３ｆの値は、測定開始始点メモリ４３ｃの値以下となるので（Ｓ４７：Ｙｅｓ）、分析器３のマーカリストメモリ３３ｃに記憶されるスペクトル値を制御装置４に読み出し且つスペクトル値を電界強度値に補正して記録する補正・書込処理（図１５参照）を実行する（Ｓ４８）。
【０１２１】
補正・書込処理の実行後は（Ｓ４８）、次回測定地点メモリ４３ｋの値が測定終了地点メモリ４３ｄの値未満か否かを判断し（Ｓ４９）、メモリ４３ｋの値がメモリ４３ｄの値以上であれば（Ｓ４９：Ｎｏ）、走行地点メモリ４３ｆの値が次回測定地点メモリ４３ｋの値以下となるまで待機し（Ｓ５０：Ｎｏ）、メモリ４３ｆの値がメモリ４３ｋの値以下になれば（Ｓ５０：Ｙｅｓ）、次回測定地点メモリ４３ｋの値を測定間隔メモリ４３ｅの値分だけ減算して（Ｓ５１）、処理をＳ４８へ移行して、再度、補正・書込処理（図１５参照）を実行する（Ｓ４８）。
【０１２２】
一方、上下線フラグ４３ｎがオフであれば（Ｓ４６：Ｎｏ）、測定車２は高速自動車道路の下り線を走行するものと判断して、走行地点メモリ４３ｆに記憶されるキロポスト値が測定開始地点メモリ４３ｃの値以上になるまで待機する（Ｓ５２：Ｎｏ）。測定車２がプリセット地点を出発して測定開始地点を通過すると（図８（ｂ）参照）、走行地点メモリ４３ｆの値は、測定開始始点メモリ４３ｃの値以上となるので（Ｓ５２：Ｙｅｓ）、分析器３のマーカリストメモリ３３ｃに記憶されるスペクトル値を制御装置４に読み出し且つスペクトル値を電界強度値に補正して記録する補正・書込処理（図１５参照）を実行する（Ｓ５３）。
【０１２３】
補正・書込処理の実行後は（Ｓ５３）、次回測定地点メモリ４３ｋの値が測定終了地点メモリ４３ｄの値を超過したか否かを判断し（Ｓ５４）、メモリ４３ｋの値がメモリ４３ｄの値以下であれば（Ｓ５４：Ｎｏ）、走行地点メモリ４３ｆの値が次回測定地点メモリ４３ｋの値以上となるまで待機し（Ｓ５５：Ｎｏ）、メモリ４３ｆの値がメモリ４３ｋの値以上になれば（Ｓ５５：Ｙｅｓ）、次回測定地点メモリ４３ｋの値に測定間隔メモリ４３ｅの値分だけ加算して（Ｓ５６）、処理をＳ５３へ移行して、再度、補正・書込処理（図１５参照）を実行する（Ｓ５３）。
【０１２４】
Ｓ４８〜Ｓ５１の処理、又は、Ｓ５３〜Ｓ５６の処理は、測定車２が測定終了地点を通過するまで、測定車２が測定間隔メモリ４３ｅに記憶される値分移動する毎に実行される。その後、Ｓ４９の処理において次回測定地点メモリ４３ｋの値が測定終了地点メモリ４３ｄの値未満となった場合（Ｓ４９：Ｙｅｓ）、又は、Ｓ５４の処理において次回測定地点メモリ４３ｋの値が測定終了地点メモリ４３ｄの値を超えた場合（Ｓ５４：Ｙｅｓ）、測定車２は測定終了地点を通過したものと判断され、この電界強度測定処理が終了する。
【０１２５】
図１３は、走行地点演算処理のフローチャートである。この処理では、プリセットボタン６５がクリックされた後から５ｍｓ間隔で実行される割込処理によって、パルスカウンタカード４７からパルス信号の計数値を読み出し（Ｓ６１）、その読み出した計数値をパルス計数メモリ４３ａに書き込む（Ｓ６２）。この後は、パルス計数メモリ４３ａの値とパルス距離メモリ４３ｂの値との積を計算し、その計算結果にプリセットキロポスト値を加算して、走行地点メモリ４３ｆの値に上書きする（Ｓ６３）。この結果、測定車２の現在位置のキロポスト値が走行地点メモリ４３ｆに逐次記憶される。
【０１２６】
図１４は、仮想計測器画面更新処理のフローチャートである。この処理は、プリセットボタン６５がクリックされた後から１ｓ間隔で実行される割込処理である。この処理では、「走行位置」７９の表示欄７９ａの数値を走行地点メモリ４３ｆの値に、「次回書込距離」６８の表示欄の数値を次回測定地点メモリ４３ｋの値に、「走行距離」７２の表示欄の数値を走行地点メモリ４３ｆの値と測定開始地点メモリ４３ｃの値との差に、それぞれ更新する（Ｓ７１，Ｓ７２，Ｓ７３）。更には、測定車２の走行速度を走行速度演算処理により演算し（Ｓ７４）、その演算された走行速度に、「車速度」７３の表示欄の数値を更新する（Ｓ７５）。
【０１２７】
図１５は、補正・書込処理のフローチャートである。この処理では、まず、走行地点メモリ４３ｆの値を、図１２のＳ４４の処理で生成された測定データファイルに書き込み（Ｓ８１）、受信メモリ４３ｌ及び電界強度メモリ４３ｍの値をクリアする（Ｓ８２）。この後、分析器３のマーカリストメモリ３３ｃに記憶されている全データの一括送信を要求するコマンドを、分析器３に対して送信し（Ｓ８３）、分析器３からのデータ受信が完了するまで待機する（Ｓ８４：Ｎｏ）。分析器３から送信されてくるデータを制御装置４が受信し終えると（Ｓ８４：Ｙｅｓ）、受信データに含まれるスペクトル値を、分析器３に設定された第１マーカに関するものから順に受信メモリ４３ｌへ全て書き込む（Ｓ８５）。
【０１２８】
この後は、受信メモリ４３ｌに記憶される全てのスペクトル値を電界強度値に補正した後に（Ｓ８６〜Ｓ９１）、測定データファイルに書き込む（Ｓ９２）。具体的には、まず、受信メモリ４３ｌから最初のスペクトル値（第１マーカに関するスペクトル値）を読み出すと共に（Ｓ８６）、測定周波数メモリ４３ｈに記憶される最初の周波数値（第１マーカの設定周波数帯の中心周波数値）に対応する補正値を、補正値テーブル４５ｂから読み出し（Ｓ８７）、その読み出した双方の数値を加算して、電界強度メモリ４３ｍに書き加える（Ｓ８８）。これによって、測定周波数メモリ４３ｈに最初に記憶される周波数で放送されている電波の電界強度値が電界強度メモリ４３ｍに一時的に保存されるのである。
【０１２９】
Ｓ８８の処理を一度実行した後は、受信メモリ４３ｌに記憶される全てのスペクトル値について電界強度値への補正が完了したか否かを確認し（Ｓ８９）、補正が完了していなければ（Ｓ８９：Ｎｏ）、受信メモリ４３ｌから次に記憶されるスペクトル値（次のマーカに関するスペクトル値）を読み出すと共に（Ｓ９０）、測定周波数メモリ４３ｈに記憶される次の周波数値（次のマーカの設定周波数帯の中心周波数値）に対応する補正値を、補正値テーブル４５ｂから読み出す（Ｓ９１）。
【０１３０】
このＳ９０，Ｓ９１の処理後は、処理をＳ８８へ移行して、かかる両処理により読み出した双方の数値を加算し、電界強度メモリ４３ｍに書き加える（Ｓ８８）。このＳ８９〜Ｓ９１及びＳ８８の処理を繰り返し実行することによって、測定周波数メモリ４３ｈに記憶される第２番目以降の周波数についても、電波の電界強度値が電界強度メモリ４３ｍに一時的に保存される。
【０１３１】
その後、受信メモリ４３ｌに記憶される全てのスペクトル値に関して電界強度値への補正が完了すれば（Ｓ８９：Ｙｅｓ）、電界強度メモリ４３ｍに記憶される全ての電界強度値を、Ｓ４４（図１２参照）の処理で生成された測定データファイルに書き加え（Ｓ９２）、この補正・書込処理を終了する。Ｓ９２の書き込みでは、Ｓ８１の処理によって測定データファイルに書き込まれた走行地点メモリ４３ｆの値に対応つけて、受信メモリ４３ｌに記憶される全ての電界強度値が書き込まれる。
【０１３２】
なお、本実施例において、請求項１又は３に記載の演算手段としては図１３の走行地点演算処理が該当し、請求項１記載の読出手段としては図１５のＳ８３及びＳ８４の処理が、補正手段としては図１５のＳ８６からＳ９１の処理が、書込手段としては図１５のＳ９２の処理が、それぞれ該当する。また、請求項１又は２記載の反復実行手段としてはＳ４９のＮｏの分岐及びＳ５０のＹｅｓの分岐、又は、Ｓ５４のＮｏの分岐及びＳ５５のＹｅｓの分岐が該当し、請求項１又は２に記載の走行区間としては測定開始地点から測定終了地点までの区間が該当し、請求項４記載の周波数変更手段としては図１１のＳ３１からＳ３３の処理が該当する。
【０１３３】
以上、実施例に基づき本考案を説明したが、本考案は上記実施例に何ら限定されるものではなく、本考案の趣旨を逸脱しない範囲内で種々の改良変形が可能であることは容易に推察できるものである。
【０１３４】
例えば、本実施例では、測定システム１による電波電界強度の測定対象としてＡＭラジオ放送波を用いて説明したが、かかる測定システムによる測定対象電波は、必ずしもＡＭラジオ放送波に限定されるものではなく、他の周波数帯の電波を測定対象電波とすることもできる。また、本実施例では、測定車２が走行する測定対象道路を高速自動車道路に限定して説明したが、かかる測定対象道路は必ずしも高速自動車道路に限定されるものではなく、測定車の走行距離と走行地点の位置との対応を予め確認しておけば、一般道路を走行する場合にも高速自動車道路を走行する場合と同様に測定システム１による電界強度の測定を実施することができる。
【０１３５】
また、本実施例によれば、制御装置４は、ＣＰＵ４１により制御プログラム４５ａを実行することでノート型ＰＣの各部を、本発明の演算手段、読出手段、補正手段、書込手段、反復実行手段および周波数変更手段として機能させた。しかしながら、測定システム１の制御装置は必ずしも制御プログラム４５ａが実行されるノート型ＰＣである必要はなく、当然のことながら、ノート型ＰＣが担った本発明の演算手段、読出手段、補正手段、書込手段、反復実行手段および周波数変更手段が有する機能を電気回路及び電子回路によって実現することもできる。
【０１３６】
【考案の効果】本考案の電波強度測定システムによれば、測定用車輌が走行区間内を走行する際に所定距離移動する都度、スペクトル分析器に予め指定された複数の周波数成分について、受信アンテナにより受信される電波の電界強度値を纏めて測定して、その測定地点の位置を示す測定用車輌の走行地点の距離値と共に記憶保持することができるという効果がある。
【０１３７】
よって、例えば、測定用車輌を高速自動車道路のトンネル構内を１回走行させるだけで、そのトンネル構内全体について、そのトンネル構内で再放送される複数局のラジオ電波の電界強度値を測定して記録保持することができるので、トンネル構内におけるラジオ電波の電界強度測定試験を作業効率を大幅に改善することができるという効果がある。例えば、北陸自動車道の上越区間内の全トンネルの各局のラジオ電波の電界強度を１台の測定用車輌で測定する場合には、従来５日間要していた作業を、約半日で終えることができるのである。
【０１３８】
また、電界強度測定試験の実施にあたって測定用車輌は停車や低速走行を繰り返す必要がないので、かかる高速自動車道路の交通規制が不要となり、それに伴う交通渋滞の発生を回避できるという効果がある。更に、電界強度値の測定記録にあたっては、一台のスペクトル分析器によって、測定用車輌が所定距離移動する毎に複数の周波数成分の電波の電界強度値を纏めて測定し記録できるので、複数台の電界強度計を利用する場合に比べて、設備コストを大幅に削減することができるという効果がある。
【０１３９】
しかも、スペクトル分析器が測定したスペクトル値は、補正手段によって電波の電界強度値に補正されるので、複数の周波数成分の電界強度を同時測定できない既製のスペクトル分析器であっても、本考案におけるスペクトル分析器として充分に利用できる。よって、本システムの実現する場合に、特殊なスペクトル分析器を用意する必要がないので、その分、システム全体としての設備コストを更に低減できるという効果がある。
【０１４０】
更に、各地点で測定された電波の電界強度値は、書込手段によって、スペクトル分析器より大容量の測定データ記憶領域へ書き込まれるので、大容量記憶領域を有しないスペクトル分析器を利用しても、多数の測定地点で測定された電界強度値を記憶保持することができるという効果がある。
【図面の簡単な説明】
【図１】本考案の一実施例であるラジオ電波電界強度測定システム（測定システム）の概念図である。
【図２】測定システムの分析器の電気的構成を示したブロック図である。
【図３】マーカリストメモリの概念図である。
【図４】制御装置の電気的構成を示したブロック図である。
【図５】仮想計測器画面の概念図である。
【図６】トンネルデータメモリに記憶される各データを管理する階層化フォルダの概念図の一例である。
【図７】（ａ）は、トンネルファイルの概念図であり、（ｂ）は、（ａ）のトンネルファイルに対応する放送周波数ファイルの概念図である。
【図８】（ａ）は、測定車が高速自動車道路の上り線を走行する場合の測定区間の一例を示す図であり、（ｂ）は、測定車が高速自動車道路の下り線を走行する場合の測定区間の一例を示す図である。
【図９】プログラム起動時処理のフローチャートである。
【図１０】測定ブロック区間選択処理のフローチャートである。
【図１１】スペクトル分析器設定処理のフローチャートである。
【図１２】電界強度測定処理のフローチャートである。
【図１３】走行地点演算処理のフローチャートである。
【図１４】仮想計測器画面更新処理のフローチャートである。
【図１５】補正・書込処理のフローチャートである。
【符号の説明】
１　　　　　　　　ラジオ電波電界強度測定システム（電波強度測定システム）
２　　　　　　　　測定車（測定用車輌）
３　　　　　　　　スペクトル分析器
４　　　　　　　　制御装置
５　　　　　　　　車輪
７　　　　　　　　パルス発生器
１０　　　　　　　アンテナアンプ（受信アンテナの一部）
１１　　　　　　　ロッドアンテナ（受信アンテナの一部）
３３ｃ　　　　　　マーカリストメモリ（スペクトル分析器の記憶領域）
４３ｅ　　　　　　測定間隔メモリ（単位区間記憶領域）
４５ｂ　　　　　　補正値テーブル（補正手段の一部）
４５ｄ　　　　　　測定データファイルメモリ（測定データ記憶領域）
６１　　　　　　　プリセットＫＰ設定の項目（プリセット地点設定手段）
【図１】
0003097678.tif 000003
【図２】
0003097678.tif 000004
【図３】
0003097678.tif 000005
【図４】
0003097678.tif 000006
【図５】
0003097678.tif 000007
【図６】
0003097678.tif 000008
【図７】
0003097678.tif 000009
【図８】
0003097678.tif 000010
【図９】
0003097678.tif 000011
【図１０】
0003097678.tif 000012
【図１１】
0003097678.tif 000013
【図１２】
0003097678.tif 000014
【図１３】
0003097678.tif 000015
【図１４】
0003097678.tif 000016
【図１５】
0003097678.tif 000017